(57)【要約】      （修正有）【課題】一方の測定ジョーに設けられた円盤状の測定子及び他方の測定ジョーに設けられた円盤状の測定子が被測定物に対向当接することになり、細い線径のもの、あるいは、太い線径のもの等、多種の線径のもの、複数の素線を撚った複数のストランドを芯網に撚り合わせて形成されたワイヤロープであっても、被測定物の線径を迅速にかつ正確に測定することができるデジタルノギスを提供する。【解決手段】一方の測定ジョー１ａを有する本尺１と、本尺に移動自在に設けられ、他方の測定ジョー２ａを有するスライダ２と、スライダの移動変位量を検出する変位検出手段３と、スライダに設けられ、移動変位量をデジタル表示するデジタル表示部４とを備えてなり、一方の測定ジョー及び他方の測定ジョーにそれぞれ円盤状の測定子５を設けてなる。【選択図】図１
0003185854.tif 000002
【実用新案登録請求の範囲】
【請求項１】
一方の測定ジョーを有する本尺と、該本尺に移動自在に設けられ、他方の測定ジョーを有するスライダと、該スライダの移動変位量を検出する変位検出手段と、該スライダに設けられ、該移動変位量をデジタル表示するデジタル表示部とを備えてなり、上記一方の測定ジョー及び上記他方の測定ジョーにそれぞれ円盤状の測定子を設けてなることを特徴とするデジタルノギス。
【請求項２】
上記測定子は上記測定ジョーにボルトにより止着固定されていることを特徴とする請求項１記載のデジタルノギス。
【考案の詳細な説明】
【技術分野】
【０００１】
本考案は長さ測定器としてのデジタルノギスに関するものである。
【背景技術】
【０００２】
従来この種のデジタルノギスとして、一方の測定ジョーを有する本尺と、該本尺に移動自在に設けられ、他方の測定ジョーを有するスライダと、該スライダの移動変位量を検出する変位検出手段と、該スライダに設けられ、該移動変位量をデジタル表示するデジタル表示部とを備えてなる構造のものが知られている。
【先行技術文献】
【特許文献】
【０００３】
【特許文献１】特開昭６１−２１３６０５号公報
【考案の概要】
【考案が解決しようとする課題】
【０００４】
しかしながら上記従来構造において、例えば、エレベータ用ワイヤロープの線径を測定する場合、ワイヤロープは一般的に８ｍｍ程度の比較的に細い線径のもの、あるいは、１２ｍｍ〜１８ｍｍ程度の太い線径のもの等、多種の線径のものがあり、又、ワイヤロープは、複数の素線を撚った複数のストランドを芯網に撚り合わせて形成され、ストランドはＺ撚り、Ｓ撚り等に撚られて線方向に傾斜し、山と谷が交互に形成されているから、山と山との距離を線径としなければならないにも拘わらず、山と谷との距離を線径として測定することもあり、線径を誤って測定してしまうことがあるという不都合を有している。
【課題を解決するための手段】
【０００５】
本考案はこれらの不都合を解決することを目的とするもので、本考案のうちで、請求項１記載の考案は、一方の測定ジョーを有する本尺と、該本尺に移動自在に設けられ、他方の測定ジョーを有するスライダと、該スライダの移動変位量を検出する変位検出手段と、該スライダに設けられ、該移動変位量をデジタル表示するデジタル表示部とを備えてなり、上記一方の測定ジョー及び上記他方の測定ジョーにそれぞれ円盤状の測定子を設けてなることを特徴とするデジタルノギスにある。
【０００６】
又、請求項２記載の考案は、上記測定子は上記測定ジョーにボルトにより止着固定されていることを特徴とするものである。
【考案の効果】
【０００７】
本考案は上述の如く、請求項１記載の考案にあっては、本尺に対してスライダを移動させ、一方の測定ジョーに設けられた測定子の測定面と他方の測定ジョーに設けられた測定子の測定面とを被測定物としてのワイヤロープに対向当接し、このときのスライダの移動変位量が変位検出手段により検出され、この変位検出手段により検出された移動変位量は線径の測定値としてデジタル表示部に表示されることになり、この際、上記一方の測定ジョー及び上記他方の測定ジョーにそれぞれ測定子を設けているから、一方の測定ジョー及び他方の測定ジョーが被測定物としてのワイヤロープに当接するのではなく、一方の測定ジョーに設けられた円盤状の測定子及び他方の測定ジョーに設けられた円盤状の測定子が被測定物に対向当接することになり、細い線径のもの、あるいは、太い線径のもの等、多種の線径のもの、複数の素線を撚った複数のストランドを芯網に撚り合わせて形成されたワイヤロープであっても、被測定物の線径を迅速にかつ正確に測定することができ、かつ、上記測定子は円盤状に形成されているから、被測定物の線径方向と測定子との測定の方向性がなくなり、線径測定を容易に行うことができる。
【０００８】
又、請求項２記載の考案にあっては、上記測定子は上記測定ジョーにボルトにより止着固定されているから、測定ジョーに測定子を容易に取り付けることができ、取付構造を簡素化することができ、測定子の取り替えも容易に行うことができ、使用の利便性を向上することができる。
【図面の簡単な説明】
【０００９】
【図１】本考案の実施の形態例の斜視図である。
【図２】本考案の実施の形態例の正面図である。
【図３】本考案の実施の形態例の部分断面図である。
【図４】本考案の実施の形態例の部分断面図である。
【図５】本考案の実施の形態例の使用状態図である。
【考案を実施するための形態】
【００１０】
図１乃至図５は本考案の実施の形態例を示し、１は本尺、２はスライダであって、このスライダ２は本尺１に移動自在に設けられ、本尺１に一方の測定ジョー１ａが設けられ、スライダ２に他方の測定ジョー２ａが設けられている。
【００１１】
３は変位検出手段、４はデジタル表示部であって、この場合、変位検出手段３は静電容量式エンコーダが用いられ、スライダ２の移動変位量を測定値として液晶式表示部からなるデジタル表示部４により表示するように構成している。
【００１２】
５・５は測定子であって、上記一方の測定ジョー１ａ及び上記他方の測定ジョー２ａにそれぞれ設けられ、この場合、図３、図４の如く、一方の測定ジョー１ａ及び上記他方の測定ジョー２ａの測定面の幅、すなわち、測定面の幅としての厚さは３ｍｍであるのに対し、この測定子５・５の測定面５ａ・５ａの直径は２０ｍｍとされ、それぞれ、ボルト６・６により止着固定され、これらボルト６・６は測定子５・５の測定面５ａ・５ａより突出しないように没入して構成している。
【００１３】
この場合、上記本尺１に本尺目盛１ｂが形成され、上記スライダ２に本尺目盛１ｂを読み取る基線としての基線端縁部２ｂが形成されている。
【００１４】
この実施の形態例は上記構成であるから、図５の如く、本尺１に対してスライダ２を移動させ、一方の測定ジョー１ａに設けられた測定子５の測定面５ａと他方の測定ジョー２ａに設けられた測定子５の測定面５ａとを被測定物Ｗとしてのワイヤロープに対向当接し、このときのスライダ２の移動変位量が変位検出手段３により検出され、この変位検出手段３により検出された移動変位量は線径Ｄの測定値としてデジタル表示部４に表示されることになる。
【００１５】
この際、図１、図２、図３の如く、上記一方の測定ジョー１ａ及び上記他方の測定ジョー２ａにそれぞれ円盤状の測定子５・５を設けているから、一方の測定ジョー１ａ及び他方の測定ジョー２ａが被測定物ＷとしてのワイヤロープＷに当接するのではなく、一方の測定ジョー１ａに設けられた測定子５及び他方の測定ジョー２ａに設けられた測定子５が被測定物ＷとしてのワイヤロープＷに対向当接することになり、細い線径のもの、あるいは、太い線径のもの等、多種の線径のもの、複数の素線を撚った複数のストランドを芯網に撚り合わせて形成されたワイヤロープであっても、被測定物Ｗの線径Ｄを迅速にかつ正確に測定することができ、かつ、上記測定子５・５は円盤状に形成されているから、被測定物Ｗとしてのワイヤロープの線径方向と測定子５・５との測定の方向性がなくなり、線径測定を容易に行うことができる。
【００１６】
又、この場合、図３、図４の如く、上記測定子５・５は上記測定ジョー１ａ・２ａにボルト６・６により止着固定されているから、測定ジョー１ａ・２ａに測定子５・５を容易に取り付けることができ、取付構造を簡素化することができ、測定子５・５の取り替えも容易に行うことができ、使用の利便性を向上することができる。
【００１７】
尚、本考案は上記実施の形態例に限られるものではなく、本尺１、スライダ２、変位検出手段３、デジタル表示部４、測定子５・５の大きさや形状、取り付け構造等は適宜設計して変更されるものである。
【００１８】
以上、所期の目的を充分達成することができる。
【符号の説明】
【００１９】
１    本尺
１ａ    一方の測定ジョー
２    スライダ
２ａ    他方の測定ジョー
３    変位検出手段
４    デジタル表示部
５    測定子
５ａ    測定面
６    ボルト
【図１】
0003185854.tif 000003
【図２】
0003185854.tif 000004
【図３】
0003185854.tif 000005
【図４】
0003185854.tif 000006
【図５】
0003185854.tif 000007